(57)【要約】      （修正有）【課題】既設の各種の蛍光管式シーリングライト本体をそのまま利用してＬＥＤ光源の付け替えができる付け替え用ＬＥＤ光源ユニットを提供する。【解決手段】蛍光灯及びプラグを外した既設の蛍光管式シーリングライト本体３とその蛍光式シーリングライトカバー４との間で付け替えるシーリングライト付け替え用ＬＥＤ光源ユニットにおいて、プリント基板１の上面の中心部に蛍光灯式シーリングライト３のアダプタ穴に挿入可能なＬＥＤ光源ユニットの電源回路部６を配置し、プリント基板１に蛍光管式シーリングライト本体３にプリント基板１を吊り下げる吊り下げ用チェーン２が連結されているシーリングライト付け替え用ＬＥＤ光源ユニット。【選択図】図１
0003182075.tif 000002
【実用新案登録請求の範囲】
【請求項１】
蛍光灯及びプラグを外した既設の蛍光管式シーリングライト本体とその蛍光式シーリングライトカバーとの間で付け替えるシーリングライト付け替え用ＬＥＤ光源ユニットにおいて、
プリント基板の上面の中心部に前記蛍光灯式シーリングライトのアダプタ穴に挿入可能なＬＥＤ光源ユニットの電源回路部を配置し、前記プリント基板に前記蛍光管式シーリングライト本体に前記プリント基板を吊り下げる吊り下げ用チェーンが連結されていることを特徴とするシーリングライト付け替え用ＬＥＤ光源ユニット。
【請求項２】
前記吊り下げ用チェーンの長さが調節可能であることを特徴とする請求項１に記載のシーリングライト付け替え用ＬＥＤ光源ユニット。
【請求項３】
前記プリント基板上の電気回路が基板の片面の下面に印刷されるとともに、電気回路の線幅を広くして熱を発散させる回路の配線にしたことを特徴とする請求項１又は２に記載のシーリングライト付け替え用ＬＥＤ光源ユニット。
【請求項４】
前記プリント基板の中心部に形成された孔に挿通されたＬＥＤ光源ユニットの電源回路部が該電源回路に設けられた支持リングにより支持固定されていることを特徴とする請求項１〜３のいずれかに記載のシーリングライト付け替え用ＬＥＤ光源ユニット。
【請求項５】
プリント基板に亜鉛メッキ鋼板製の補強フレームを固定したことを特徴とする請求項１〜４のいずれかに記載のシーリングライト付け替え用ＬＥＤ光源ユニット。
【考案の詳細な説明】
【技術分野】
【０００１】
本考案は、天井に取り付けられている各種の蛍光管式シーリングライトにＬＥＤ光源を付け替えることができるシーリングライト付け替え用ＬＥＤ光源ユニットに関する。
【背景技術】
【０００２】
東日本大震災以来、原子力発電所の停止に伴い電力供給不足となり、その結果、電気料金の値上げによって家計が圧迫されることから、節電のために従来の光源を省電力で長寿命のＬＥＤ光源に切り替えのニーズがますます増えている。一方、シーリングライトが１９９８年発売以来、リモートコントロールより二段調光と常夜灯の機能が揃い、住宅を主として普及され、その数は約２０００万個と推定されている。
【０００３】
蛍光管式シーリングライトについても、ＬＥＤ光源に比べ消費電力が大きいため、省電力や長寿命化の観点から照明をＬＥＤ化することが行われている。
【０００４】
そこで、例えば、特許文献１に示すような、従来から用いられている蛍光管式の照明装置をそのまま用いて、ランプのみを蛍光灯からＬＥＤにすることが提案されている。このＬＥＤランプは、棒状またはリング状に形成した透明もしくは不透明パイプの内部に取り付けた棒状またはリング状配線基板と、この基板の片面に固定した発光ダイオードとよりなり、この発光ダイオードの取り付け側の配線基板の下面に反射シートを配設したＬＥＤランプである。
【先行技術文献】
【特許文献】
【０００５】
【特許文献１】特開２００４−３３５４２６号公報
【考案の概要】
【考案が解決しようとする課題】
【０００６】
従来の蛍光管式シーリングライトの蛍光灯をＬＥＤランプに付け替えることによって、従来の蛍光管式シーリングライト本体をそのまま利用できることからコストの削減が可能となるととともに、新規のＬＥＤ光源ユニットの導入により、ランプの節電効果、長寿命化が可能となる。
【０００７】
しかしながら、各照明メーカーの既存の蛍光灯式シーリングライトは、電源プラグ、本体の直径と高さ、電気回路基板の固定方法、丸形蛍光灯の固定方法などさまざまで一致していなく、前記特許文献１のＬＥＤランプでは、すべての各照明メーカーの既存の蛍光灯式シーリングライトに対応することは困難である。
【０００８】
また従来の蛍光灯式シーリングライトの電源部分を残したままでＬＥＤ光源ユニットを取り付ける場合には、縦の空間の余裕が少ない。また付け替え用ＬＥＤ光源ユニットをセットする際、本来熱発散の役割の亜鉛鋼板の本体は利用できず、プリント基板上の発熱はＬＥＤ発光素子の寿命に影響し、更に亜鉛鋼板に取り付けられないのでプリント基板の強度は弱くなる問題がある。
【０００９】
そこで、本考案は、既設の各種の蛍光管式シーリングライト本体をそのまま利用してＬＥＤ光源の付け替えができる付け替え用ＬＥＤ光源ユニットを提供するものである。
【課題を解決するための手段】
【００１０】
本願請求項１の考案は、蛍光灯及びプラグを外した既設の蛍光管式シーリングライト本体とその蛍光式シーリングライトカバーとの間で付け替えるシーリングライト付け替え用ＬＥＤ光源ユニットにおいて、プリント基板の上面の中心部に前記蛍光灯式シーリングライトのアダプタ穴に挿入可能なＬＥＤ光源ユニットの電源回路部を配置し、前記プリント基板に前記蛍光管式シーリングライト本体に前記プリント基板を吊り下げる吊り下げ用チェーンが連結されていることを特徴とするシーリングライト付け替え用ＬＥＤ光源ユニットである。
【００１１】
本願請求項２の考案は、前記吊り下げ用チェーンの長さが調節可能であることを特徴とする請求項１に記載のシーリングライト付け替え用ＬＥＤ光源ユニットである。
【００１２】
本願請求項３の考案は、前記プリント基板上の電気回路が基板の片面の下面に印刷されるとともに、電気回路の線幅を広くして熱を発散させる回路の配線にしたことを特徴とする請求項１又は２に記載のシーリングライト付け替え用ＬＥＤ光源ユニットである。
【００１３】
本願請求項４の考案は、前記プリント基板の中心部に形成された孔に挿通されたＬＥＤ光源ユニットの電源回路部が該電源回路に設けられた支持リングにより支持固定されていることを特徴とする請求項１〜３のいずれかに記載のシーリングライト付け替え用ＬＥＤ光源ユニットである。
【００１４】
本願請求項５の考案は、プリント基板に亜鉛メッキ鋼板製の補強フレームを固定したことを特徴とする請求項１〜４のいずれかに記載のシーリングライト付け替え用ＬＥＤ光源ユニットである。
【考案の効果】
【００１５】
本考案のシーリングライト付け替え用ＬＥＤ光源ユニット〈以下「ＬＥＤ光源ユニット」という。〉は、ＬＥＤ発光素子が実装されているプリント基板を、従来の蛍光管式シーリングライトの蛍光灯とプラグを外し、ＬＥＤ光源ユニットのプラグを電源コンセントに連結し、固定用チェーンで従来のカバー取り付け具と連結することによって付け替えができるので、従来のシーリングライトの本体、カバー等の利用ができ且つＬＥＤ光源の切り替えによる節電、低コストの実現、従来蛍光灯式シーリングライトにないＬＥＤ光源による調色、調光機能を付加した優れたシーリング用ＬＥＤ光源ユニットが得られる。
【００１６】
本願請求項１の考案は、電源回路部を蛍光灯式シーリングライトのアダプタ穴に挿入することによってどのタイプの蛍光灯式シーリングライトの空間に収めることができる。
【００１７】
本願請求項２の考案は、チェーンの長さを調節することにより、各メーカーの蛍光灯式シーリングライトの本体とカバーの間に固定が可能となる。
【００１８】
本願請求項３の考案は、熱を発散させる回路の配線により、プリント基板のみでＬＥＤ光源ユニットの熱を拡散させることが可能となる。
【００１９】
本願請求項４の考案は、ＬＥＤ光源ユニットの電源部分をプリント基板の中心部に穴をあけて上下挟んで固定することによって縦方向の高さを半減し、電源部分の半分は蛍光管式シーリングライトのアダプタ穴にいれることによってどのタイプのシーリングライトの縦方向の空間でも付けることが可能となる。
【００２０】
本願請求項５の考案は、プリント基板に補強フレームを固定することにより、ＬＥＤ光源ユニットの全体強度を補強することができる。
【図面の簡単な説明】
【００２１】
【図１】本考案のＬＥＤ電源ユニットを既存の蛍光管式シーリングライトにＬＥＤ電源ユニットを付け替える場合の例を示す斜視図である。
【図２】本考案のＬＥＤ光源ユニットを既存の蛍光管式シーリングライトに付け替える場合の別の例を示す斜視図である。
【図３】本考案のＬＥＤ電源ユニットの電源回路部がプリント基板の下面と上面に凸部として存在する場合の下面側を示す斜視図である。場合である
【図４】本考案のＬＥＤ電源ユニットの電源回路部が下面と上面に凸部として存在する場合の上面側を示す斜視図である。
【図５】本考案のＬＥＤ電源ユニットの電源回路部を組み立ててプリント基板の孔に装着する状態を示す分解図である。
【図６】本考案のＬＥＤ電源ユニット電源部にアダプタから出ているＡＣラインを接続する状態を示す説明図である。
【図７】本考案のＬＥＤ電源ユニットに使用する、既設の蛍光管式シーリングライトカバー固定金具を連結した吊り下げ用チェーンの説明図である。
【考案を実施するための形態】
【００２２】
本考案のＬＥＤ光源ユニットは、図１又は図２に示すように、ＬＥＤ発光素子が実装されているプリント基板１を、吊り下げ用チェーン２で蛍光灯及びプラグを外した従来の蛍光管式シーリングライト本体３の空間に配置して付け替えた後、外していた蛍光管式シーリングライトカバー４を再び取り付ける。
【００２３】
図１はプリント基板１の孔５に電源回路部６を下面側と上面側に突出させた場合の例であり、図２は下部に電源回路部分が突出しないで、電源回路部分が上面のみで収まり、プリント基板１に穴が空いていない場合の例である。
【００２４】
プリント基板のみで吊った場合では変形の恐れがあるため、図４に示すプリント基板１の上面には、プリント基板１を補強するため、亜鉛めっき鋼板製の補強フレーム７が固定される。
【００２５】
なお、補強フレームには、図４に示す形状に限定されるものではなく、亜鉛鋼板のバーを連結した三角形フレームあるいは四角形フレームを使用してもよい。
【００２６】
プリント基板１の中央で下面及び上面に突出させて支持する電源回路６は、図５に示すように、上部樹脂カバー８と下部樹脂カバー９の間に、電源回路プリント基板１０とアルミや鉄の金属製の支持リング１１を挟んで両カバー８，９の端の内面あるいは外面に対向して形成されている内ねじ１２と外ねじ１３を螺合させて電源回路プリント基板１０と支持リング１１を挟み込んで固定する。
【００２７】
図６に示すように、電源回路部６には、角型引っ掛けシーリングあるいは専用アダプタから出ているＡＣライン１４をカットしてＬＥＤ光源ユニット電源回路部６に挿し込み、上部からネジ１５で締め込んで固定する。
【００２８】
電源回路６は、プリント基板１の中央に形成されている孔５を通し、孔の回りに支持リング１１で支持する。支持リング１１は孔の回りに接着される。
【００２９】
補強フレーム７の端には、プリント基板１を蛍光管式シーリングライト本体２に吊り下げるための金属製の吊り下げ用チェーン２が接続されている。
【００３０】
吊り下げ用チェーン２は一端がＳ字金具１６を介してプリント基板１に連結され、他端が蛍光管式シーリングライトカバーの固定金具１７が連結されている。吊り下げ用チェーン２の長さを調整することにより各メーカーの蛍光管式シーリングライトに使用することが可能である。
【００３１】
プリント基板１は、熱対策として放熱効果を上げるため、ＬＥＤ実装面の回路パターンを下面に実装して露出させ且つ線幅を拡げた発熱回路とすることによりプリント基板のみでも熱の拡散効率を向上させることができる。
【００３２】
以上の構成において、本考案のシーリングライト付け替え用ＬＥＤ光源ユニットは、ＬＥＤ発光素子が実装されているプリント基板１を、蛍光灯及びプラグを外した従来の蛍光管式シーリングライト本体３の空間に配置し、ＬＥＤ光源ユニットのプラグを電源コンセントに連結し、吊り下げ用チェーン２で従来のカバー取り付け具と連結して付け替えた後、外していた蛍光管式シーリングライトカバー４を取り付ける。
【符号の説明】
【００３３】
１：プリント基板
２：吊り下げ用チェーン
３：蛍光管式シーリングライト本体 
４：蛍光管式シーリングライトカバー
５：孔
６：電源回路部
７：補強フレーム
８：上部樹脂カバー
９：下部樹脂カバー
１０：電源回路プリント基板
１１：支持リング
１２：内ねじ
１３：外ねじ
１４：ＡＣライン
１５：ネジ
１６：Ｓ字金具
１７：固定金具
【図１】
0003182075.tif 000003
【図２】
0003182075.tif 000004
【図３】
0003182075.tif 000005
【図４】
0003182075.tif 000006
【図５】
0003182075.tif 000007
【図６】
0003182075.tif 000008
【図７】
0003182075.tif 000009